(57)【要約】【課題】製造工場における店舗ユニットの移動や搬送のときに、店舗の設置現場において設置する際にもクレーンを使用しないことで、店舗ユニットの製造コストを低減すると共に、その設置現場において容易かつ迅速に並列させることができ、かつ微妙な位置調節する。【解決手段】製造工場において製造した、床部２、壁部３と屋根部４とからなる略直方体形状の店舗ユニット１を、店舗を設置する設置現場において予め工事しておいた基礎１２上に複数並列させ、隣接する各店舗ユニット１同士を接合することにより組み立てを完了するユニット型店舗であって、各店舗ユニット１は、その底部１０に移動用の車輪１１を設けたものである。【選択図】　　図４
2004124577.tif 000002
【特許請求の範囲】
【請求項１】
製造工場において製造した、床部（２）、壁部（３）と屋根部（４）とからなる略直方体形状の店舗ユニット（１）を、店舗を設置する設置現場において予め工事しておいた基礎（１２）上に複数並列させ、隣接する各店舗ユニット（１）同士を接合することにより組み立てを完了するユニット型店舗であって、
各店舗ユニット（１）は、その底部（１０）に移動用の車輪（１１）を設けたものである、ことを特徴とするユニット型店舗。
【請求項２】
前記車輪（１１）は、前記店舗ユニット（１）の底部（１０）に対して上下方向に可動するように構成した、ことを特徴とする請求項１のユニット型店舗。
【請求項３】
前記車輪（１１）は、前記店舗ユニット（１）の底部（１０）に対して着脱自在に取り付けた、ことを特徴とする請求項１のユニット型店舗。
【請求項４】
前記店舗ユニット（１）は厨房設備（９）を設けたものである、ことを特徴とする請求項１、２又は３のユニット型店舗。
【請求項５】
製造工場において、床部（２）、壁部（３）と屋根部（４）とからなる店舗ユニット（１）を製造し、
店舗の設置現場において、予め基礎（１２）工事をしておき、
前記店舗ユニット（１）を前記製造工場から前記設置現場まで搬送し、
該設置現場において、前記店舗ユニット（１）の底部（１０）に設けた車輪（１１）により移動させながら前記基礎（１２）上に複数配置し、
前記基礎（１２）上に隣接させた店舗ユニット（１）同士を接合して組立てる、ことを特徴としたユニット型店舗の組立方法。
【請求項６】
前記基礎（１２）の周囲に形成した車輪用凹部に、店舗ユニット（１）の車輪（１１）を落とし込むように位置決めする、ことを特徴とする請求項５のユニット型店舗の組立方法。
【発明の詳細な説明】
【０００１】
【発明の属する技術分野】
本発明は、複数に分割した店舗ユニットを組み立てて１軒の店舗を完成させることができるユニット型店舗及びその組立方法に関するものである。
【０００２】
【従来の技術】
幹線道路等のような交通量の多い道路沿いに軽食やラーメン等の料理を調理して販売する店舗が設置されている。これらの店舗は、予定した売上目標に達しているときは、そのまま店舗の操業を維持する。しかし、当初の売上予想より大きく下回ったときは、その店舗を閉店することがある。そこで、その店舗を分解して、トラックで運搬して別の場所に再度組み立てて設置することが従来から行われている。
【０００３】
【特許文献１】
この店舗を複数に分割して、現場で組み立てるユニット化工法が種々提案されている。例えば、特開平０９−８８３６０号「組立店舗」は、各種ボックスあるいはパネルを適宜組み付けることにより、店舗部材について熟練者を必要とすることなく、迅速かつ簡単に組み付けることができる工法である。
【０００４】
このような店舗をユニット化した組立工法では、先ず製造工場において、鉄骨の枠材を組み立て、床部分上に柱部分を立て掛け、これらの各柱部分の上に鉄骨の屋根部分を載せて鉄骨工事を完了する。次に、この鉄骨の枠材に天井、床材、壁面を張り付ける。更に、窓部分には窓用のサッシを嵌め込み、入り口にはドア用の枠を取り付け、店舗ユニットが完成する。この店舗ユニットは、例えば厨房を備えれば厨房ユニットとなり、窓のみの店舗ユニット１はテーブル等を配置して客席として使用する客席ユニット等が完成する。
【０００５】
これらの店舗ユニットは、製造工場内においてはクレーンで吊り上げて、大型の低床トラックに載せて店舗の設置現場まで搬送される。一方、その設置現場においては、予め設置場所の基礎工事を施しておく。なお、厨房ユニットを設置する場所には上下水の配管を施しておく。これらの設置場所では、図５に示すように、トラックで搬送した各店舗ユニット５１を、クレーンにより例えば６箇所をワイヤー５２で吊り上げる。複数の店舗ユニット５１を順番に並べ、各店舗ユニット５１の床部分と基礎のアンカーとを接合する。次に隣接する店舗ユニット５１同士を接合して組立てを完了する。最後に、各種管を接続し、更に電気配線を完了させて一軒の店舗が完成する。
【０００６】
【発明が解決しようとする課題】
上述したように、鉄骨材からなる店舗ユニット５１は、製造工場内において移動する際に、又はトラックで搬送する際にクレーンのワイヤー５２で吊り上げていた。店舗の設置現場において、複数の店舗ユニット５１をクレーンのワイヤー５２で吊り上げ、微妙に位置調節しながら基礎の上に並列させていた。しかし、設置現場において使用するクレーンは、そのレンタル使用料が高いという問題を有していた。なお、製造工場においてもクレーン設備が必要となるために、ある程度の規模以上の製造工場でなければ、上述したような店舗ユニットは製造できないという問題を有していた。
【０００７】
また、店舗の設置現場において、クレーンのワイヤー５２で吊り上げた店舗ユニット５１を、その設置位置において微妙に調節しながら基礎の上に並列させるために、そのクレーン操作には熟練を要するという問題を有していた。
【０００８】
更に、従来の店舗ユニット５１は、ワイヤー５２で吊り上げるときに、図示したような方向（矢視方向）に荷重がかかりやすいので、各店舗ユニット５１は鉄骨枠で強固に建造する必要がある。そこで、木材とパネルからなる店舗ユニットに比較して、その製造コストが高くなりやすいという問題を有していた。
【０００９】
本発明は、かかる問題点を解決するために創案されたものである。すなわち、本発明の目的は、製造工場における店舗ユニットの移動や搬送のときに、店舗の設置現場において設置する際にもクレーンを使用しないことで、店舗ユニットの製造コストを低減すると共に、その設置現場において容易かつ迅速に並列させることができ、かつ微妙な位置調節することができるユニット型店舗及びその組立方法を提供することにある。
【００１０】
【課題を解決するための手段】
本発明の店舗によれば、製造工場において製造した、床部（２）、壁部（３）と屋根部（４）とからなる略直方体形状の店舗ユニット（１）を、店舗を設置する設置現場において予め工事しておいた基礎（１２）上に複数並列させ、隣接する各店舗ユニット（１）同士を接合することにより組み立てを完了するユニット型店舗であって、各店舗ユニット（１）は、その底部（１０）に移動用の車輪（１１）を設けたものである、ことを特徴とするユニット型店舗が提供される。
【００１１】
前記車輪（１１）は、前記店舗ユニット（１）の底部（１０）に対して上下方向に可動するように構成し、又は前記店舗ユニット（１）の底部（１０）に対して着脱自在に取り付けることができる。また、前記店舗ユニット（１）は厨房設備（９）を設けたものである。
【００１２】
上記構成の店舗では、ユニット型に形成されているために、設置場所に長期にわたって据え付けることができる店舗を、短時間で組立てることができる。そこで、集客率の高い場所に飲食店等の店舗を容易にかつ迅速に開店することができる。一方、開店した店舗が当初の売上予想より大きく下回ったときに、その店舗を閉店するときは、店舗ユニット（１）に容易に分解してトラックに載せて運搬し、別の場所に迅速に搬送して組立てることができる。
【００１３】
また、このユニット型に形成された店舗は、この店舗ユニット（１）の数を増加すれば大規模の店舗とすることができ、逆に少ない店舗ユニット（１）の数を減少させれば小規模の店舗にすることができる。そこで、店舗の規模に応じて種々に店舗ユニットを組み合わせることが可能である。
【００１４】
特に、店舗ユニット（１）の底部（１０）に移動用の車輪（１１）が設けられているので、製造工場における移動や搬送のとき、店舗の設置現場において組立てる際にもクレーンを使用する必要がない。クレーンのワイヤーで吊り上げる必要がないので、店舗ユニット（１）自体は、強固に建造するための鉄骨枠が不要になり、軽量にすることができる。更に、店舗の設置現場における移動も容易になり、迅速に組み立てることができる。
【００１５】
前記移動用の車輪（１１）は、前記床部（２）に対して上下方向に稼動するように構成し、又は前記床部（２）に対して着脱自在に取り付けているので、組立ての際の移動が容易になるだけではなく、分解後も容易に移動できる。
【００１６】
本発明の組立方法によれば、製造工場において、床部（２）、壁部（３）と屋根部（４）とからなる店舗ユニット（１）を製造し、店舗の設置現場において、予め基礎（１２）工事をしておき、前記店舗ユニット（１）を前記製造工場から前記設置現場まで搬送し、該設置現場において、前記店舗ユニット（１）の底部（１０）に設けた車輪（１１）により移動させながら前記基礎（１２）上に複数配置し、前記基礎（１２）上に隣接させた店舗ユニット（１）同士を接合して組立てる、ことを特徴としたユニット型店舗の組立方法が提供される。
【００１７】
前記基礎（１２）の周囲に形成した車輪用凹部に、店舗ユニット（１）の車輪（１１）を落とし込むように位置決めする、ことが好ましい。
【００１８】
本発明の組立方法では、クレーンを用いることなく、短時間で複数の店舗ユニット（１）を組み立てることができる。特に、車輪（１１）により微妙な位置調節ができるので店舗の設置現場において容易かつ迅速に並列させることができる。
【００１９】
【発明の実施の形態】
以下、本発明の好ましい実施の形態を図面を参照して説明する。
図１は本発明のユニット型店舗の斜視図であり、（ａ）は組立て前の状態、（ｂ）は組立て後の状態である。図２は店舗ユニットの組立方法を示すブロック図である。図３は厨房設備を備えた厨房ユニットを示す平断面図である。
本発明の店舗ユニット１は、製造工場において個々に製造するものであり、これをトラックに載せて店舗を設置する設置現場まで搬送し、この設置現場において組立てることができるものである。この店舗ユニット１は、床部２、壁部３と屋根部４とからなる略直方体形状に形成したものである。但し、本発明の店舗ユニット１はワイヤー５２で吊り上げることを目的としていないので、従来のように鉄骨枠で強固に建造する必要はない。即ち、本発明の店舗ユニット１は、木材とパネルからなり、軽量であることに構造的な特徴を有する。
【００２０】
各店舗ユニット１は、図１に示すように種々に設備が相違するようになっている。例えば、客席ユニット５は略直方体形状に形成した床部２、壁部３と屋根部４とからなり、この壁部３に窓６を取り付けたものであり、床部２にテーブルを配置できるようになっている店舗ユニット１である。入口用ユニット７は、壁部３にドア７を設けた店舗ユニット１である。更に、図３に示すように、厨房ユニット８は、店舗ユニット１内に厨房設備９を設けたものである。なお、これら以外に店舗の種類に応じて、例えば厨房設備９に代えて他の目的の設備を配置することができる。
【００２１】
これらの店舗ユニット１の数を増加すれば大規模のユニット型の店舗とすることができ、逆に、店舗ユニット１の数を減少させれば小規模の店舗にすることができる。そこで、店舗の規模に応じて種々に店舗ユニット１を組み合わせることが可能である。
【００２２】
図４は店舗ユニットの底部に取り付けた車輪を示す拡大図であり、（ａ）は基礎に載せる前の状態であり、（ｂ）は基礎に載せた後の状態である。
本発明の店舗ユニット１には、その底部１０の四隅に車輪１１を取り付けてある。この車輪１１は店舗ユニット１に対して上下方向に可動するように構成したことに特徴を有する。この車輪１１により、店舗ユニット１を製造工場において製造及び運搬する際に、クレーンを使用することなく移動することができるようになっている。その店舗ユニット１の設置現場における移動も容易になり、迅速に組み立てることができる。
【００２３】
この車輪１１は底部１０に対して上下方向に可動するので、店舗ユニット１を、店舗の設置現場に予め工事した基礎１２上に移動させ、その後、車輪１１の位置を上昇させ、この店舗ユニット１の床部が基礎１２上面に密着するように載せ、基礎１２のアンカー（図示していない）にボルト締めにより接合固定する。
【００２４】
なお、長期間の据付を予定しているときは、店舗ユニット１の底部１０に車輪１１を着脱自在に取り付けたものが好ましい。このように取外し自在に車輪１１を取り付けることにより、長期間にわたる車輪１１の劣化を防止することができる。勿論、店舗ユニット１を別の場所に移動するときには、新しい車輪１１を取り付けて店舗ユニット１を移動させる。
【００２５】
なお、基礎１２の周囲に車輪用凹部（図示していない）を形成することにより、店舗ユニット１の車輪１１を落とし込むように容易に位置決めするようになっている。
【００２６】
このように構成したユニット型店舗では、ユニット型に形成されているために、店舗の設置場所において１軒の店舗を短時間で組立てることができる。その設置場所が集客率の高い場所のときは、このユニット型店舗を長期にわたって据え付けることができる。一方、開店した店舗が当初の売上予想より大きく下回り、その店舗を閉店するときは、店舗ユニット１を分解して別の場所に迅速に搬送することができる。即ち、飲食店等の店舗を容易にかつ迅速に開店することができる。
【００２７】
なお、本発明は上述した発明の実施の形態に限定されず、複数の店舗ユニット１を組立てて１軒の店舗を完成するものであれば、上述したような飲食店の店舗に限定されず、コンビニの店舗、土産物の店舗等に実施することができ、本発明の要旨を逸脱しない範囲で種々変更できることは勿論である。
【００２８】
また、開口部分を接合して１軒の店舗にするものであれば、各店舗ユニット１の形状は、略直方体形状に限定されず、例えば、平面視で三角形状や扇形状等の種々の形状に変更できる。
【００２９】
【発明の効果】
本発明のユニット型店舗は、製造工場における店舗ユニットの移動や搬送するときに、店舗の設置現場において設置する際にもクレーンを使用しないので、補強用の鉄骨枠が不要になり店舗ユニットの製造コストを低減すると共に、軽量化することができる。店舗ユニットの底部に車輪が取り付けられているので、全体の軽量化と相俟って、店舗の設置現場は元より製造工場においても容易に移動させることができる。そこで、開店するときに迅速かつ容易に店舗ユニットを組立てることができ、移転するときも各店舗ユニットを別の場所に迅速に容易に移動することができる。
【００３０】
特に、店舗ユニットに取り付けた車輪により、組立ての際の微妙な移動が容易になる。従来はクレーンの操作で微妙に位置調節していたものが、この車輪により店舗ユニット自体を容易に調節することができる、等の効果がある。
【図面の簡単な説明】
【図１】本発明のユニット型店舗の斜視図であり、（ａ）は組立て前の状態、（ｂ）は組立て後の状態である。
【図２】店舗ユニットの組立方法を示すブロック図である。
【図３】厨房設備を備えた厨房ユニットを示す平断面図である。
【図４】店舗ユニットの底部に取り付けた車輪を示す拡大図であり、（ａ）は基礎に載せる前の状態であり、（ｂ）は基礎に載せた後の状態である。
【図５】従来の鉄骨材からなる店舗ユニットをクレーンによりワイヤーで吊り上げる状態を示す説明図である。
【符号の説明】
１　店舗ユニット
２　床部
３　壁部
４　屋根部
９　厨房設備
１１　車輪
１２　基礎
１０　底部
【図１】
2004124577.tif 000003
【図２】
2004124577.tif 000004
【図３】
2004124577.tif 000005
【図４】
2004124577.tif 000006
【図５】
2004124577.tif 000007